(57)【特許請求の範囲】
【請求項１】
波長の異なる複数の信号光が多重化された波長多重光を増幅する光増幅器と、
前記光増幅器によって増幅された波長多重光であって、前記光増幅器から放出されるＡＳＥ光が重畳された波長多重光の光パワーを測定する第１の測定部と、
前記波長多重光に多重化された各前記信号光の光パワーを測定する第２の測定部と、
前記波長多重光の光パワーと、各前記信号光の光パワーの総和との差分を算出することによって、前記波長多重光に重畳された前記ＡＳＥ光の光パワーを抽出する抽出部と、
前記ＡＳＥ光の光パワーに基づいて、前記波長多重光の入力断を検出する検出部と、
前記光増幅器の前段に配置され、予め定められた最小減衰量を下限とする可変減衰量を用いて、入力される波長多重光を減衰して前記光増幅器へ出力する光減衰器と、
前記波長多重光の光パワーの減少に応じて、前記光減衰器の前記可変減衰量を前記最小減衰量まで減少させる光減衰器制御部と、
前記可変減衰量が前記最小減衰量まで減少した状態で、前記検出部によって前記波長多重光の入力断が検出された場合に、前記光増幅器に対する駆動電流の供給を停止することによって、前記光増幅器の後段側への出力を遮断する光増幅器制御部と
を有することを特徴とする光受信器。
【請求項２】
前記光増幅器は、順極性の電圧が印加された状態で、前記駆動電流の供給を受けた場合に、前記光減衰器によって減衰された波長多重光を増幅する増幅モードで動作し、逆極性の電圧が印加された場合に、前記光減衰器によって減衰された波長多重光のパワーを測定する測定モードで動作し、
前記光増幅器制御部は、前記光増幅器に対する前記駆動電流の供給を停止した後に、前記光増幅器に印加される電圧を前記順極性の電圧から前記逆極性の電圧に切り替えることによって、前記光増幅器を前記測定モードで動作させ、当該光増幅器によって測定される前記波長多重光のパワーに基づいて、前記波長多重光の入力を判定することを特徴とする請求項１に記載の光受信器。
【請求項３】
前記光増幅器制御部は、前記波長多重光の入力があると判定した場合に、前記光増幅器に対する前記駆動電流の供給を再開し、かつ、前記光増幅器に印加される電圧を前記逆極性の電圧から前記順極性の電圧に切り替えることによって、前記光増幅器を前記増幅モードで動作させることを特徴とする請求項２に記載の光受信器。
【請求項４】
前記光減衰器は、予め定められた最小減衰量を下限とし、かつ、予め定められた最大減衰量を上限とする可変減衰量を用いて、入力される波長多重光を減衰して前記光増幅器へ出力し、
前記光減衰器制御部は、前記検出部によって前記波長多重光の入力断が検出された場合に、前記光減衰器の前記可変減衰量を前記最大減衰量まで一時的に増大させることによって、前記光減衰器の後段側への出力を遮断し、前記光増幅器制御部によって前記光増幅器の後段側への出力が遮断された後に、前記光減衰器の前記可変減衰量の増大を解除することを特徴とする請求項１〜３のいずれか一つに記載の光受信器。
【請求項５】
各前記信号光のパワーの総和と、前記ＡＳＥ光のパワーとの比である信号対雑音比を算出する算出部をさらに有し、
前記光減衰器制御部は、前記信号対雑音比が増大するように、前記光減衰器の前記可変減衰量を調整することを特徴とする請求項１〜４のいずれか一つに記載の光受信器。
【請求項６】
各前記信号光のパワーの総和と、前記ＡＳＥ光のパワーのとの比である信号対雑音比を算出する算出部をさらに有し、
前記光増幅器制御部は、前記信号対雑音比が増大するように、前記光増幅器に対して供給される駆動電流を調整することを特徴とする請求項１〜５のいずれか一つに記載の光受信器。
【請求項７】
前記信号対雑音比を外部装置に通知する通知部をさらに有することを特徴とする請求項５又は６に記載の光受信器。
【請求項８】
前記第２の測定部は、各前記信号光を電気信号に変換し、供給される電圧に応じた増幅率で前記電気信号を増幅し、増幅された前記電気信号の強度を示す値を各前記信号光のパワーとして測定する受光素子であり、
前記検出部によって前記波長多重光の入力断が検出された場合に、前記第２の測定部に供給される前記電圧を減少させることによって、前記第２の測定部における前記電気信号の増幅に用いられる前記増幅率を抑制する受光素子制御部をさらに有することを特徴とする請求項１〜７のいずれか一つに記載の光受信器。
【発明の詳細な説明】
【技術分野】
【０００１】
本発明は、光受信器に関する。
【背景技術】
【０００２】
従来、信号光を伝送する分野において、波長の異なる複数の信号光を多重化して異なる情報を同時に伝送するＷＤＭ（Wavelength Division Multiplex）方式が利用されている。ＷＤＭ方式によって複数の信号光が多重化されて得られる波長多重光を、以下では「ＷＤＭ光」と呼ぶ。
【０００３】
ＷＤＭ方式を採用した光伝送システムでは、光伝送路を伝搬する信号光の減衰を補償するために、半導体光増幅器（ＳＯＡ：Semiconductor Optical Amplifier）が受信側の光伝送装置（以下「光受信器」と呼ぶ）に搭載される。光受信器は、送信側の光伝送装置から送出されたＷＤＭ光が入力されると、ＳＯＡによってＷＤＭ光を増幅し、増幅後のＷＤＭ光を波長の異なる複数の信号光に分波し、各信号光の光パワーを測定する。そして、光受信器は、測定される各信号光の光パワーと、所定の閾値とを比較することで、入力されるＷＤＭ信号光の断絶（以下「ＷＤＭ光の入力断」と呼ぶ）を検出していた。
【先行技術文献】
【特許文献】
【０００４】
【特許文献１】特開２０１３−２２９６４３号公報
【特許文献２】特開２０１０−９８１６６号公報
【発明の概要】
【発明が解決しようとする課題】
【０００５】
ところで、光受信器に搭載されるＳＯＡの利得は、ＳＯＡに供給される駆動電流が一定であっても、増幅対象となるＷＤＭ光の光パワーの減少に伴って増加し、ＷＤＭ光の入力断時に最大利得に飽和する特性を有する。このため、ＳＯＡでは、増幅対象となるＷＤＭ光の光パワーに依っては、ＷＤＭ光の光パワーが減少しているにも関わらず、最大利得に近い利得でＷＤＭ光が増幅される。その結果、ＷＤＭ光の分波により得られた各信号光の光パワーが本来の値よりも増大することがある。
【０００６】
しかしながら、上述した従来技術では、ＳＯＡの特性に起因して増大した各信号光の光パワーと、所定の閾値とを比較することで、ＷＤＭ光の入力断を検出する。このため、上述した従来技術では、実際に入力されるＷＤＭ光の光パワーが減少している状態であっても、測定される各信号光の光パワーが所定の閾値以上となってしまい、結果として、ＷＤＭ光の入力断が精度良く検出されない恐れがある。なお、ＷＤＭ光の入力断には、瞬断も含まれる。
【０００７】
開示の技術は、上記に鑑みてなされたものであって、波長多重光の入力断の検出精度を向上することができる光受信器を提供することを目的とする。
【課題を解決するための手段】
【０００８】
本願の開示する光受信器は、一つの態様において、光増幅器と、第１の測定部と、第２の測定部と、抽出部と、検出部とを有する。前記光減衰器は、波長の異なる複数の信号光が多重化された波長多重光を増幅する。前記第１の測定部は、前記光増幅器によって増幅された波長多重光であって、前記光増幅器から放出されるＡＳＥ光が重畳された波長多重光の光パワーを測定する。前記第２の測定部は、前記波長多重光に多重化された各前記信号光の光パワーを測定する。前記抽出部は、前記波長多重光の光パワーと、各前記信号光の光パワーの総和との差分を算出することによって、前記波長多重光に重畳された前記ＡＳＥ光の光パワーを抽出する。前記検出部は、前記ＡＳＥ光の光パワーに基づいて、前記波長多重光の入力断を検出する。
【発明の効果】
【０００９】
本願の開示する光受信器の一つの態様によれば、波長多重光の入力断の検出精度を向上することができるという効果を奏する。
【図面の簡単な説明】
【００１０】
【図１】図１は、実施例１に係る光受信器を含む光伝送システムの構成例を示す図である。
【図２】図２は、図１に示した光受信器の構成例を示す図である。
【図３Ａ】図３Ａは、実施例１におけるＳＯＡの特性を示す図である。
【図３Ｂ】図３Ｂは、実施例１における光受信器へ入力されるＷＤＭ光のパワーと、ＶＯＡの動作と、ＳＯＡの駆動電流との関係の一例を示す図である。
【図４】図４は、ＷＤＭ光の入力断の検出の一例を説明するための図である。
【図５】図５は、測定モードと増幅モードとの間の切り換えの一例を説明するための図である。
【図６】図６は、サージ光の発生を説明するための図である。
【図７】図７は、実施例１に係る出力遮断処理を説明するための図である。
【図８】図８は、実施例１に係る入力断検出処理の流れの一例を示すフローチャートである。
【図９】図９は、実施例１に係る出力遮断処理の流れの一例を示すフローチャートである。
【図１０】図１０は、実施例２に係る光受信器の構成例を示す図である。
【図１１】図１１は、実施例２に係る出力遮断処理を説明するための図である。
【図１２Ａ】図１２Ａは、実施例２に係る入力断検出処理の流れの一例を示すフローチャートである。
【図１２Ｂ】図１２Ｂは、実施例２に係る出力遮断処理の流れの一例を示すフローチャートである。
【図１３】図１３は、実施例３に係る光受信器の構成例を示す図である。
【図１４】図１４は、実施例３に係る出力遮断処理の流れの一例を示すフローチャートである。
【図１５】図１５は、実施例４に係る光受信器の構成例を示す図である。
【図１６】図１６は、実施例５に係る光受信器の構成例を示す図である。
【発明を実施するための形態】
【００１１】
以下に、本願の開示する光受信器の実施例を図面に基づいて詳細に説明する。なお、この実施例により開示技術が限定されるものではない。
【実施例１】
【００１２】
図１は、実施例１に係る光受信器を含む光伝送システムの構成例を示す図である。図１に示す光伝送システムは、光ファイバＦで接続された光送信器１０及び光受信器１００を含む。光送信器１０は、ドライバ１１、ＬＤ（Laser Diode）１２及び光合波器１３を有する。ドライバ１１は、データ信号に応じてＬＤ１２を駆動する。ＬＤ１２は、ドライバ１１によって駆動され、任意の波長の信号光を出力する。光合波器１３は、波長の異なる複数の信号光を多重化して波長多重光であるＷＤＭ（Wavelength Division Multiplex）光を生成し、生成したＷＤＭ光を光ファイバＦへ出力する。なお、以下では、４つの波長λ１〜λ４の信号光が多重化されたＷＤＭ光が光ファイバＦへ出力されたものとして説明を行う。
【００１３】
図２は、図１に示した光受信器の構成例を示す図である。図２に示すように、光受信器１００は、可変光減衰器（ＶＯＡ：Variable Optical Attenuator）１０１、半導体光増幅器（ＳＯＡ：Semiconductor Optical Amplifier）１０２、光カプラ１０３及び第１ＰＤ（Photo Detector）１０４を有する。また、光受信器１００は、光分波器１０５、フィルタ１０６、第２ＰＤ１０７、ＣＤＲ（Clock Data Recovery）部１０８、ＡＳＥ（Amplified Spontaneous Emission）抽出部１０９、入力断検出部１１０、ＶＯＡ制御部１１１及びＳＯＡ制御部１１２を有する。
【００１４】
ＶＯＡ１０１は、予め定められた最小減衰量を下限とする可変減衰量を用いて、光受信器１００の入力ポートｐｏｒｔ１を介して光ファイバＦから入力されるＷＤＭ光を減衰してＳＯＡ１０２へ出力する。ＶＯＡ１０１の可変減衰量は、後述するＶＯＡ制御部１１１によって制御される。ＶＯＡ１０１は、光減衰器の一例である。
【００１５】
ＳＯＡ１０２は、ＷＤＭ光の入力をＶＯＡ１０１から受ける。ＳＯＡ１０２は、ＷＤＭ光を増幅する。ＳＯＡ１０２におけるＷＤＭ光の増幅時に、ＳＯＡ１０２から放出される自然放出光（ＡＳＥ光）がＷＤＭ光に重畳される。ＳＯＡ１０２は、増幅されたＷＤＭ光であって、ＡＳＥ光が重畳されたＷＤＭ光（以下「増幅ＷＤＭ光」と呼ぶ）を光カプラ１０３へ出力する。
【００１６】
図３Ａは、実施例１におけるＳＯＡの特性を示す図である。図３Ａにおいて、縦軸は、ＳＯＡ１０２の利得を示し、横軸は、ＳＯＡ１０２に入力されるＷＤＭ光の光パワーを示す。図３Ａに示すように、ＳＯＡ１０２の利得は、増幅対象となるＷＤＭ光の光パワーの減少に伴って増加し、ＷＤＭ光の入力断時に最大利得に飽和する特性（以下「飽和特性」と呼ぶ）を有する。ＳＯＡ１０２は、飽和特性を有する利得を有し、ＷＤＭ光及びＳＯＡ１０２から放出される自然放出光（ＡＳＥ光）を当該利得で増幅する。
【００１７】
図３Ｂは、実施例１における光受信器へ入力されるＷＤＭ光のパワーと、ＶＯＡの動作と、ＳＯＡの駆動電流との関係の一例を示す図である。図３Ｂに示すように、光受信器１００へ入力されるＷＤＭ光のパワーが所定レベルよりも大きい場合、ＶＯＡ１０１は、ＷＤＭ光の減衰を行う。一方、光受信器１００へ入力されるＷＤＭ光のパワーが所定レベルよりも小さい場合、又は、ＷＤＭ光が断絶する場合、ＶＯＡ１０１は、ＷＤＭ光の減衰を行わず、ＷＤＭ光は、透過される。また、ＳＯＡ１０２に供給される駆動電流は、一定値に維持される。
【００１８】
図２の説明に戻る。ＳＯＡ１０２は、順極性のバイアス電圧が印加された状態で、駆動電流の供給を受けた場合に、ＶＯＡ１０１によって減衰されたＷＤＭ光を増幅する増幅モードで動作する。一方、ＳＯＡ１０２は、逆極性のバイアス電圧が印加された場合に、ＶＯＡ１０１によって減衰されたＷＤＭ光のパワーを測定する測定モードで動作する。ＳＯＡ１０２は、測定モードにおいて、測定されるＷＤＭ光の光パワーをＳＯＡ制御部１１２へ出力する。ＳＯＡ１０２は、光増幅器の一例である。
【００１９】
光カプラ１０３は、増幅ＷＤＭ光の入力をＳＯＡ１０２から受ける。光カプラ１０３は、増幅ＷＤＭ光を分岐し、分岐により得られた２つの増幅ＷＤＭ光のうち、一方の増幅ＷＤＭ光を第１ＰＤ１０４へ出力するとともに、他方の増幅ＷＤＭ光を光分波器１０５へ出力する。
【００２０】
第１ＰＤ１０４は、光カプラ１０３から入力される増幅ＷＤＭ光の光パワーを測定する。具体的には、第１ＰＤ１０４は、増幅ＷＤＭ光を電気信号に変換し、変換後の電気信号の振幅レベルを用いて、増幅ＷＤＭ光の光パワーを測定する。第１ＰＤ１０４は、測定された増幅ＷＤＭ光の光パワーをＡＳＥ抽出部１０９へ出力する。第１ＰＤ１０４は、第１の測定部の一例である。
【００２１】
光分波器１０５は、光カプラ１０３から入力される増幅ＷＤＭ光を波長ごとに分離することによって、ＡＳＥ光が重畳された４つの波長λ１〜λ４の信号光を取得し、各信号光をフィルタ１０６へ出力する。
【００２２】
フィルタ１０６は、光分波器１０５から入力される各信号光からＡＳＥ光を除去することによって、ＷＤＭ光に多重化された各信号光を抽出し、抽出された各信号光を第２ＰＤ１０７へ出力する。
【００２３】
第２ＰＤ１０７は、フィルタ１０６から入力される各信号光の光パワーを測定する。具体的には、第２ＰＤ１０７は、各信号光を電気信号に変換し、変換後の電気信号の振幅レベルを用いて、各信号光の光パワーを測定する。第２ＰＤ１０７は、測定された各信号光の光パワーをＡＳＥ抽出部１０９へ出力する。第２ＰＤ１０７は、第２の測定部の一例である。
【００２４】
また、図２に示した４つの第２ＰＤのうち任意の１つの第２ＰＤ１０７は、測定された各信号光の光パワーをＶＯＡ制御部１１１へ出力する。
【００２５】
また、第２ＰＤ１０７は、各信号光から変換された電気信号をＣＤＲ部１０８へ出力する。ＣＤＲ部１０８は、第２ＰＤ１０７から入力される電気信号からデータ信号及びクロック信号を抽出する。
【００２６】
ＡＳＥ抽出部１０９は、増幅ＷＤＭ光の光パワーの入力を第１ＰＤ１０４から受ける。ＡＳＥ抽出部１０９は、各信号光の光パワーの入力を第２ＰＤ１０７から受ける。そして、ＡＳＥ抽出部１０９は、増幅ＷＤＭ光の光パワーと、各信号光の光パワーの総和との差分を算出することによって、ＷＤＭ光に重畳されたＡＳＥ光の光パワーを抽出する。具体的には、ＡＳＥ抽出部１０９は、上記差分を算出することによって、ＳＯＡ１０２によって飽和特性を有する利得で増幅され、かつ、ＷＤＭ光に重畳されたＡＳＥ光の光パワーを抽出する。ＡＳＥ抽出部１０９は、抽出したＡＳＥ光の光パワーを入力断検出部１１０へ出力する。ＡＳＥ抽出部１０９は、抽出部の一例である。
【００２７】
入力断検出部１１０は、ＡＳＥ抽出部１０９から入力されるＡＳＥ光の光パワーに基づいて、ＷＤＭ光の入力断を検出する。具体的には、入力断検出部１１０は、ＡＳＥ光の光パワーと、予め定められた閾値とを比較することによって、ＷＤＭ光の入力断を検出する。例えば、入力断検出部１１０は、ＡＳＥ光の光パワーが予め定められた閾値を下回る場合に、ＷＤＭ光の入力があることを検出し、ＡＳＥ光の光パワーが予め定められた閾値以上である場合に、ＷＤＭ光の入力断が発生していることを検出する。入力断検出部１１０は、ＷＤＭ光の入力断の検出結果をＳＯＡ制御部１１２へ通知する。入力断検出部１１０は、検出部の一例である。
【００２８】
図４は、ＷＤＭ光の入力断の検出の一例を説明するための図である。図４において、「信号状態」は、受信器１００の入力ポートｐｏｒｔ１を介して光ファイバＦから入力されるＷＤＭ光の有無を示している。また、「ＰＤ（１）」は、第１ＰＤ１０４によって測定される増幅ＷＤＭ光の光パワーを示し、「ＰＤ（２）」は、第２ＰＤ１０７によって測定される各信号光の光パワーの総和を示す。また、「ＰＤ（１）−ＰＤ（２）」は、ＡＳＥ抽出部１０９によって抽出されるＡＳＥ光の光パワーを示す。
【００２９】
受信器１００の入力ポートｐｏｒｔ１を介して光ファイバＦから入力されるＷＤＭ光が存在する場合、ＡＳＥ抽出部１０９によって抽出されるＡＳＥ光の光パワーは、図４の右上に示すように、予め定められた閾値Ｐｔｈを下回る。この場合、入力断検出部１１０は、ＷＤＭ光の入力があることを検出する。
【００３０】
一方、受信器１００の入力ポートｐｏｒｔ１を介して光ファイバＦから入力されるＷＤＭ光が存在しない場合、ＡＳＥ抽出部１０９によって抽出されるＡＳＥ光の光パワーは、図４の右下に示すように、予め定められた閾値Ｐｔｈ以上となる。すなわち、受信器１００の入力ポートｐｏｒｔ１を介して光ファイバＦから入力されるＷＤＭ光が存在しない場合、図３Ａに示したＳＯＡ１０２の飽和特性の影響によってＳＯＡ１０２の利得が最大利得となる。すると、増幅ＷＤＭ光に重畳されたＡＳＥ光がＳＯＡ１０２の最大利得で増幅されるので、第１ＰＤ１０４によって測定される増幅ＷＤＭ光の光パワー、すなわち、増幅ＷＤＭ光に重畳されたＡＳＥ光の光パワーが、増大する。その結果、ＡＳＥ抽出部１０９によって抽出されるＡＳＥ光の光パワーは、予め定められた閾値Ｐｔｈ以上となる。この場合、入力断検出部１１０は、ＷＤＭ光の入力断が発生していることを検出する。これにより、増幅ＷＤＭ光を波長ごとに分離することで得られる各信号光の光パワーがＳＯＡ１０２の飽和特性の影響によって変動する場合であっても、ＡＳＥ光の光パワーを用いてＷＤＭ光の入力断が検出される。
【００３１】
図２の説明に戻る。ＶＯＡ制御部１１１は、光パワーの入力を第２ＰＤ１０７から受ける。ＶＯＡ制御部１１１は、光パワーの減少、すなわち、ＷＤＭ光の光パワーの減少に応じて、ＶＯＡ１０１の可変減衰量を最小減衰量まで減少させる。ＶＯＡ制御部１１１は、光減衰器制御部の一例である。
【００３２】
ＳＯＡ制御部１１２は、ＶＯＡ１０１の可変減衰量が最小減衰量まで減少された状態で、入力断検出部１１０によってＷＤＭ光の入力断が検出された場合に、ＳＯＡ１０２に対する駆動電流の供給を停止することによって、ＳＯＡ１０２の後段側への出力を遮断する。ＳＯＡ制御部１１２は、光増幅器制御部の一例である。なお、ＳＯＡ制御部１１２によって実行される出力遮断処理については、後述する。
【００３３】
また、ＳＯＡ制御部１１２は、ＳＯＡ１０２に対する駆動電流の供給を停止した後に、ＳＯＡ１０２に印加される電圧を順極性のバイアス電圧から逆極性のバイアス電圧に切り替えることによって、ＳＯＡ１０２を測定モードで動作させる。そして、ＳＯＡ制御部１１２は、測定モードで動作するＳＯＡ１０２によって測定されるＷＤＭ光の光パワーに基づいて、ＷＤＭ光の入力を判定する。ＳＯＡ制御部１１２は、ＷＤＭ光の入力があると判定した場合に、ＳＯＡ１０２に対する駆動電流の供給を再開する。さらに、ＳＯＡ制御部１１２は、ＳＯＡ１０２に印加される電圧を逆極性のバイアス電圧から順極性のバイアス電圧に切り替えることによって、ＳＯＡ１０２を増幅モードで動作させる。
【００３４】
図５は、測定モードと増幅モードとの間の切り換えの一例を説明するための図である。図５では、一例として、増幅モードで動作するＳＯＡ１０２を、測定モードで動作するＳＯＡ１０２へ切り替える処理を説明する。図５に示すように、ＳＯＡ制御部１１２は、ＳＯＡ１０２に対する駆動電流の供給を停止した後に、スイッチＳＷを用いて、ＳＯＡ１０２に印加される電圧を順極性のバイアス電圧Ｖｂｉａｓから逆極性のバイアス電圧−Ｖｂｉａｓに切り替える。これにより、ＳＯＡ１０２が測定モードで動作する。なお、ＳＯＡ１０２における測定モードと増幅モードとの間の切り換えの詳細は、例えば、特開２０１３−１９７２００号公報等に記載されているので、ここではその説明を省略する。
【００３５】
ここで、図６及び図７を用いて、ＳＯＡ制御部１１２によって実行される出力遮断処理の一例を説明する。以下では、実施例１に係る出力遮断処理を説明する前に、その前提として、出力遮断処理が実行されない場合のサージ（surge）光の発生を説明する。図６は、サージ光の発生を説明するための図である。
【００３６】
図６において、「Ｏｐｔ＿ｉｎ」は、光受信器１００の入力ポートｐｏｒｔ１を介して光ファイバＦから入力されるＷＤＭ光の光パワーの推移を示すタイミングチャートである。また、「ＶＯＡ減衰量」は、ＶＯＡ１０１の可変減衰量の推移を示すタイミングチャートである。また、「ＶＯＡ出力」は、ＶＯＡ１０１から出力されるＷＤＭ光の光パワーのタイミングチャートである。また、「ＳＯＡ電流」は、ＳＯＡ１０２に対して供給される駆動電流の推移を示すタイミングチャートである。また、「ＳＯＡ出力」は、ＳＯＡ１０２から出力される増幅ＷＤＭ光の光パワーの推移を示すタイミングチャートである。また、「第２ＰＤ入力」は、第２ＰＤ１０７に入力される各信号光の光パワーの推移を示すタイミングチャートである。
【００３７】
図６に示すように、光受信器１００の入力ポートｐｏｒｔ１を介して光ファイバＦから入力されるＷＤＭ光の光パワーは、時刻ｔ１から減少する。これに伴って、増幅ＷＤＭ光の光パワーが、減少する。ＶＯＡ制御部１１１は、増幅ＷＤＭ光の光パワーの減少に応じて、ＶＯＡ１０１の可変減衰量を減少させる。
【００３８】
その後、ＶＯＡ１０１の可変減衰量は、時刻ｔ２において、最小減衰量Ａｍｉｎとなる。その後、ＶＯＡ１０１の可変減衰量が最小減衰量Ａｍｉｎまで減少された状態で、光受信器１００の入力ポートｐｏｒｔ１を介して光ファイバＦから入力されるＷＤＭ光の光パワーは、時刻ｔ３において、０に最も近づく。時刻ｔ３において、光受信器１００の入力ポートｐｏｒｔ１を介して光ファイバＦから次のＷＤＭ光が入力されると、ＶＯＡ１０１の可変減衰量が最小減衰量Ａｍｉｎまで減少されているので、ＶＯＡ１０１から出力されるＷＤＭ光がサージ光となる。このとき、ＳＯＡ制御部１１２は、ＳＯＡ１０２に対する駆動電流の供給を継続する。このため、サージ光は、ＳＯＡ１０２の飽和特性に基づく利得で増幅され、ＳＯＡ１０２から出力される増幅ＷＤＭ光に伝播する。その結果、ＳＯＡ１０２の後段側に配置される部品がサージ光の突入によって破損する恐れがある。
【００３９】
これに対して、実施例１に係る出力遮断処理を説明する。図７は、実施例１に係る出力遮断処理を説明するための図である。
【００４０】
図７において、「Ｏｐｔ＿ｉｎ」は、光受信器１００の入力ポートｐｏｒｔ１を介して光ファイバＦから入力されるＷＤＭ光の光パワーの推移を示すタイミングチャートである。また、「ＶＯＡ減衰量」は、ＶＯＡ１０１の可変減衰量の推移を示すタイミングチャートである。また、「ＶＯＡ出力」は、ＶＯＡ１０１から出力されるＷＤＭ光の光パワーのタイミングチャートである。また、「ＳＯＡ電流」は、ＳＯＡ１０２に対して供給される駆動電流の推移を示すタイミングチャートである。また、「ＳＯＡ出力」は、ＳＯＡ１０２から出力される増幅ＷＤＭ光の光パワーの推移を示すタイミングチャートである。また、「第２ＰＤ入力」は、第２ＰＤ１０７に入力される各信号光の光パワーの推移を示すタイミングチャートである。
【００４１】
図７に示すように、光受信器１００の入力ポートｐｏｒｔ１を介して光ファイバＦから入力されるＷＤＭ光の光パワーは、時刻ｔ１から減少する。これに伴って、増幅ＷＤＭ光の光パワーが、減少する。ＶＯＡ制御部１１１は、増幅ＷＤＭ光の光パワーの減少に応じて、ＶＯＡ１０１の可変減衰量を減少させる。
【００４２】
続いて、ＶＯＡ１０１の可変減衰量は、時刻ｔ２において、最小減衰量Ａｍｉｎとなる。その後、ＶＯＡ１０１の可変減衰量が最小減衰量Ａｍｉｎまで減少された状態で、光受信器１００の入力ポートｐｏｒｔ１を介して光ファイバＦから入力されるＷＤＭ光の光パワーは、時刻ｔ３´において、所定の光断検出レベルを下回り、時刻ｔ３において、最も０に近づく。時刻ｔ３において、光受信器１００の入力ポートｐｏｒｔ１を介して光ファイバＦから次のＷＤＭ光が入力されると、ＶＯＡ１０１の可変減衰量が最小減衰量Ａｍｉｎまで減少されているので、ＶＯＡ１０１から出力されるＷＤＭ光がサージ光となる。
【００４３】
入力断検出部１１０は、時刻ｔ３´において、ＡＳＥ抽出部１０９から入力されるＡＳＥ光の光パワーが予め定められた閾値を下回るので、ＷＤＭ光の入力断が発生していることを検出する。ＳＯＡ制御部１１２は、ＶＯＡ１０１の可変減衰量が最小減衰量Ａｍｉｎまで減少された状態で、入力断検出部１１０によってＷＤＭ光の入力断が検出されたので、時刻ｔ３´において、ＳＯＡ１０２に対する駆動電流の供給を停止する。これにより、時刻ｔ３において、光受信器１００の入力ポートｐｏｒｔ１を介して光ファイバＦから次のＷＤＭ光が入力され、かつ、ＶＯＡ１０１から出力されるＷＤＭ光がサージ光となる場合であっても、ＳＯＡ１０２の後段側への出力が遮断される。その結果、ＳＯＡ１０２の後段側に配置される部品がサージ光の突入によって破損する事態が回避される。
【００４４】
その後、ＳＯＡ制御部１１２は、ＳＯＡ１０２を測定モードで動作させる。そして、ＳＯＡ制御部１１２は、測定モードで動作するＳＯＡ１０２によって測定されるＷＤＭ光の光パワーに基づいて、ＷＤＭ光の入力を判定する。その後、ＳＯＡ制御部１１２は、時刻ｔ４において、ＷＤＭ光の入力があると判定する。すると、ＳＯＡ制御部１１２は、時刻ｔ４において、ＳＯＡ１０２に対する駆動電流の供給を再開し、かつ、ＳＯＡ１０２を増幅モードで動作させる。これにより、ＳＯＡ１０２の後段側への出力の遮断が解除される。
【００４５】
なお、上記のＡＳＥ抽出部１０９、入力断検出部１１０、ＳＯＡ制御部１１２及びＶＯＡ制御部１１１は、例えば、ＣＰＵ（Central  Processing  Unit）及び該ＣＰＵにて解析実行されるプログラムにて実現される。或いは、上記のＡＳＥ抽出部１０９、入力断検出部１１０、ＳＯＡ制御部１１２及びＶＯＡ制御部１１１は、ＦＰＧＡ（Field  Programmable  Gate  Array）を用いて実現されても良い。
【００４６】
次に、図８を用いて、実施例１に係る入力断検出処理の流れの一例を説明する。図８は、実施例１に係る入力断検出処理の流れの一例を示すフローチャートである。
【００４７】
図８に示すように、第１ＰＤ１０４は、増幅ＷＤＭ光の光パワーを測定する（ステップＳ１０１）。第２ＰＤ１０７は、ＷＤＭ光に多重化された各信号光の光パワーを測定する（ステップＳ１０２）。
【００４８】
ＡＳＥ抽出部１０９は、増幅ＷＤＭ光の光パワーと、各信号光の光パワーの総和との差分を算出することによって、ＷＤＭ光に重畳されたＡＳＥ光の光パワーを抽出する（ステップＳ１０３）。
【００４９】
入力断検出部１１０は、ＡＳＥ光の光パワーが予め定められた閾値を下回る場合に（ステップＳ１０４；Ｙｅｓ）、ＷＤＭ光の入力があることを検出する（ステップＳ１０５）。一方、入力断検出部１１０は、ＡＳＥ光の光パワーが予め定められた閾値以上である場合に（ステップＳ１０４；Ｎｏ）、ＷＤＭ光の入力断が発生していることを検出する（ステップＳ１０６）。入力断検出部１１０は、ＷＤＭ光の入力断の検出結果をＳＯＡ制御部１１２へ通知する（ステップＳ１０７）。
【００５０】
次に、図９を用いて、実施例１に係る出力遮断処理の流れの一例を説明する。図９は、実施例１に係る出力遮断処理の流れの一例を示すフローチャートである。
【００５１】
図９に示すように、ＳＯＡ制御部１１２は、入力断検出部１１０によりＷＤＭ光の入力断が検出されていない場合（ステップＳ２０１；Ｎｏ）、ＳＯＡ１０２に対して駆動電流を供給することによって、ＳＯＡ１０２を増幅モードで動作させる（ステップＳ２０２）。
【００５２】
ＳＯＡ制御部１１２は、入力断検出部１１０によりＷＤＭ光の入力断が検出された場合（ステップＳ２０１；Ｙｅｓ）、ＳＯＡ１０２に対する駆動電流を停止することによって、ＳＯＡ１０２の後段側への出力を遮断する（ステップＳ２０３）。
【００５３】
続いて、ＳＯＡ制御部１１２は、ＳＯＡ１０２に印加される電圧を順極性のバイアス電圧から逆極性のバイアス電圧に切り替えることによって、ＳＯＡ１０２を測定モードで動作させる（ステップＳ２０４）。
【００５４】
ＳＯＡ制御部１１２は、測定モードで動作するＳＯＡ１０２によって測定されるＷＤＭ光の光パワーに基づいて、ＷＤＭ光の入力を判定する（ステップＳ２０５）。ＳＯＡ制御部１１２は、ＷＤＭ光の入力がないと判定した場合（ステップＳ２０５；Ｎｏ）、処理をステップＳ２０５に戻し、ＷＤＭ光の入力の判定を継続する。
【００５５】
一方、ＳＯＡ制御部１１２は、ＷＤＭ光の入力があると判定した場合（ステップＳ２０５；Ｙｅｓ）、ＳＯＡ１１２に印加される電圧を逆極性のバイアス電圧から順極性のバイアス電圧に切り替えることによって、ＳＯＡ１０２を増幅モードで動作させ（ステップＳ２０６）、ＳＯＡ１０２に対する駆動電流の供給を再開する（ステップＳ２０７）。そして、ＳＯＡ制御部１１２は、処理をステップＳ２０１に戻し、再びＷＤＭ光の入力断の検出を開始する。
【００５６】
上述したように、実施例１に係る光受信器１００は、増幅ＷＤＭ光の光パワーと、各信号光の光パワーの総和との差分を算出することによって、ＷＤＭ光に重畳されたＡＳＥ光の光パワーを抽出し、ＡＳＥ光の光パワーに基づいて、ＷＤＭ光の入力断を検出する。このため、増幅ＷＤＭ光を波長ごとに分離することで得られる各信号光の光パワーがＳＯＡ１０２の飽和特性の影響によって変動する場合であっても、ＡＳＥ光の光パワーを用いてＷＤＭ光の入力断が検出される。その結果、ＷＤＭ光の入力断の検出精度を向上することができる。
【００５７】
また、実施例１に係る光受信器１００は、ＶＯＡ１０１の可変減衰量が最小減衰量まで減少された状態で、ＷＤＭ光の入力断が検出された場合に、ＳＯＡ１０２に対する駆動電流の供給を停止することによって、ＳＯＡ１０２の後段側への出力を遮断する。その結果、ＳＯＡ１０２の後段側に配置される部品がサージ光の突入によって破損する事態が回避される。
【実施例２】
【００５８】
図１０は、実施例２に係る光受信器の構成例を示す図である。実施例２に係る光受信器２００は、ＶＯＡの可変減衰量の制御手法が実施例１と異なる。そこで、以下の説明では、ＶＯＡの可変減衰量の制御手法について主に説明する。ここで、図１０において、図２と同じ符号を有する各部は、特に説明の無い限り同じ機能を有するものとする。
【００５９】
図１０に示すように、実施例２に係る光受信器２００は、図２に示したＶＯＡ１０１に代えて、ＶＯＡ２０１を有する。また、光受信器２００は、図２に示した入力断検出部１１０に代えて、入力断検出部２１０を有する。また、光受信器２００は、図２に示したＶＯＡ制御部１１１に代えて、ＶＯＡ制御部２１１を有する。
【００６０】
ＶＯＡ２０１は、予め定められた最小減衰量を下限とし、かつ、予め定められた最大減衰量を上限とする可変減衰量を用いて、光受信器２００の入力ポートｐｏｒｔ１を介して光ファイバＦから入力されるＷＤＭ光を減衰してＳＯＡ１０２へ出力する。ＶＯＡ２０１の可変減衰量は、後述するＶＯＡ制御部２１１によって制御される。ＶＯＡ２０１は、光減衰器の一例である。
【００６１】
入力断検出部２１０は、ＡＳＥ抽出部１０９から入力されるＡＳＥ光の光パワーに基づいて、ＷＤＭ光の入力断を検出する。入力断検出部２１０は、ＷＤＭ光の入力断の検出結果をＳＯＡ制御部１１２及びＶＯＡ制御部２１１へ通知する。入力断検出部２１０は、検出部の一例である。
【００６２】
ＶＯＡ制御部２１１は、光パワーの入力を第２ＰＤ１０７から受ける。ＶＯＡ制御部２１１は、光パワーの減少、すなわち、ＷＤＭ光の光パワーの減少に応じて、ＶＯＡ２０１の可変減衰量を最小減衰量まで減少させる。さらに、ＶＯＡ制御部２１１は、入力断検出部２１０によってＷＤＭ光の入力断が検出された場合に、ＶＯＡ２０１の可変減衰量を最大減衰量まで一時的に増大させることによって、ＶＯＡ２０１の後段側への出力を遮断する。そして、ＶＯＡ制御部２１１は、ＳＯＡ制御部１１２によってＳＯＡ１０２の後段側への出力が遮断された後に、ＶＯＡ２０１の可変減衰量の増大を解除する。
【００６３】
ここで、図１１を用いて、ＶＯＡ制御部２１１によって実行される出力遮断処理の一例を説明する。図１１は、実施例２に係る出力遮断処理を説明するための図である。
【００６４】
図１１において、「Ｏｐｔ＿ｉｎ」は、光受信器２００の入力ポートｐｏｒｔ１を介して光ファイバＦから入力されるＷＤＭ光の光パワーの推移を示すタイミングチャートである。また、「ＶＯＡ減衰量」は、ＶＯＡ２０１の可変減衰量の推移を示すタイミングチャートである。また、「ＶＯＡ出力」は、ＶＯＡ２０１から出力されるＷＤＭ光の光パワーのタイミングチャートである。また、「ＳＯＡ電流」は、ＳＯＡ１０２に対して供給される駆動電流の推移を示すタイミングチャートである。また、「ＳＯＡ出力」は、ＳＯＡ１０２から出力される増幅ＷＤＭ光の光パワーの推移を示すタイミングチャートである。また、「第２ＰＤ入力」は、第２ＰＤ１０７に入力される各信号光の光パワーの推移を示すタイミングチャートである。
【００６５】
図１１に示すように、光受信器２００の入力ポートｐｏｒｔ１を介して光ファイバＦから入力されるＷＤＭ光の光パワーは、時刻ｔ１から減少する。これに伴って、増幅ＷＤＭ光の光パワーが、減少する。ＶＯＡ制御部２１１は、増幅ＷＤＭ光の光パワーの減少に応じて、ＶＯＡ２０１の可変減衰量を減少させる。
【００６６】
続いて、ＶＯＡ２０１の可変減衰量は、時刻ｔ２において、最小減衰量Ａｍｉｎとなる。その後、ＶＯＡ２０１の可変減衰量が最小減衰量Ａｍｉｎまで減少された状態で、光受信器２００の入力ポートｐｏｒｔ１を介して光ファイバＦから入力されるＷＤＭ光の光パワーは、時刻ｔ３´において、所定の光断検出レベルを下回り、時刻ｔ３において、最も０に近づく。
【００６７】
入力断検出部２１０は、時刻ｔ３´において、ＡＳＥ抽出部１０９から入力されるＡＳＥ光の光パワーが予め定められた閾値を下回るので、ＷＤＭ光の入力断が発生していることを検出する。ＶＯＡ制御部２１１は、入力断検出部２１０によってＷＤＭ光の入力断が検出されたので、時刻ｔ３´において、ＶＯＡ２０１の可変減衰量を最大可変減衰量Ａｍａｘまで一時的に増大させる。これにより、時刻ｔ３において、光受信器２００の入力ポートｐｏｒｔ１を介して光ファイバＦから次のＷＤＭ光が入力された場合であっても、ＶＯＡ２０１における減衰によってサージ光の発生が抑制され、ＶＯＡ２０１の後段側への出力が遮断される。その結果、ＶＯＡ２０１の後段側に配置される部品がサージ光の突入によって破損する事態が回避される。
【００６８】
その後、ＶＯＡ制御部２１１は、時刻ｔ４において、ＶＯＡ２０１の可変減衰量の増大を解除する。これにより、ＶＯＡ２０１の後段側への出力の遮断が解除される。
【００６９】
また、ＳＯＡ制御部１１２は、入力断検出部２１０によってＷＤＭ光の入力断が検出されたので、時刻ｔ３´´において、ＳＯＡ１０２に対する駆動電流の供給を停止する。その後、ＳＯＡ制御部１１２は、ＳＯＡ１０２を測定モードで動作させる。そして、ＳＯＡ制御部１１２は、測定モードで動作するＳＯＡ１０２によって測定されるＷＤＭ光の光パワーに基づいて、ＷＤＭ光の入力を判定する。その後、ＳＯＡ制御部１１２は、時刻ｔ５において、ＷＤＭ光の入力があると判定する。すると、ＳＯＡ制御部１１２は、時刻ｔ５において、ＳＯＡ１０２に対する駆動電流の供給を再開し、かつ、ＳＯＡ１０２を増幅モードで動作させる。
【００７０】
次に、図１２Ａを用いて、実施例２に係る入力断検出処理の流れの一例を説明する。図１２Ａは、実施例２に係る入力断検出処理の流れの一例を示すフローチャートである。
【００７１】
図１２Ａに示すように、第１ＰＤ１０４は、増幅ＷＤＭ光の光パワーを測定する（ステップＳ２５１）。第２ＰＤ１０７は、ＷＤＭ光に多重化された各信号光の光パワーを測定する（ステップＳ２５２）。
【００７２】
ＡＳＥ抽出部１０９は、増幅ＷＤＭ光の光パワーと、各信号光の光パワーの総和との差分を算出することによって、ＷＤＭ光に重畳されたＡＳＥ光の光パワーを抽出する（ステップＳ２５３）。
【００７３】
入力断検出部２１０は、ＡＳＥ光の光パワーが予め定められた閾値を下回る場合に（ステップＳ２５４；Ｙｅｓ）、ＷＤＭ光の入力があることを検出する（ステップＳ２５５）。一方、入力断検出部２１０は、ＡＳＥ光の光パワーが予め定められた閾値以上である場合に（ステップＳ２５４；Ｎｏ）、ＷＤＭ光の入力断が発生していることを検出する（ステップＳ２５６）。入力断検出部１１０は、ＷＤＭ光の入力断の検出結果をＳＯＡ制御部１１２及びＶＯＡ制御部２１１へ通知する（ステップＳ２５７）。
【００７４】
次に、図１２Ｂを用いて、実施例２に係る出力遮断処理の流れの一例を説明する。図１２Ｂは、実施例２に係る出力遮断処理の流れの一例を示すフローチャートである。
【００７５】
図１２Ｂに示すように、ＳＯＡ制御部１１２は、入力断検出部２１０によりＷＤＭ光の入力断が検出されていない場合（ステップＳ３０１；Ｎｏ）、ＳＯＡ１０２に対して駆動電流を供給することによってＳＯＡ１０２を増幅モードで動作させる（ステップＳ３０２）。
【００７６】
ＶＯＡ制御部２１１は、入力断検出部２１０によりＷＤＭ光の入力断が検出された場合（ステップＳ３０１；Ｙｅｓ）、以下の処理を行う。すなわち、ＶＯＡ制御部２１１は、ＶＯＡ２０１の可変減衰量を最大可変減衰量Ａｍａｘまで増大させることによって、ＶＯＡ２０１の後段側への出力を遮断する（ステップＳ３０３）。
【００７７】
ＳＯＡ制御部１１２は、ＳＯＡ１０２に対する駆動電流を停止することによって、ＳＯＡ１０２の後段側への出力を遮断する（ステップＳ３０４）。
【００７８】
続いて、ＳＯＡ制御部１１２は、ＳＯＡ１０２に印加される電圧を順極性のバイアス電圧から逆極性のバイアス電圧に切り替えることによって、ＳＯＡ１０２を測定モードで動作させる（ステップＳ３０５）。
【００７９】
ＶＯＡ制御部２１１は、ＶＯＡ２０１の可変減衰量の増大を解除する（ステップＳ３０６）。
【００８０】
ＳＯＡ制御部１１２は、測定モードで動作するＳＯＡ１０２によって測定されるＷＤＭ光の光パワーに基づいて、ＷＤＭ光の入力を判定する（ステップＳ３０７）。ＳＯＡ制御部１１２は、ＷＤＭ光の入力がないと判定した場合（ステップＳ３０７；Ｎｏ）、処理をステップＳ３０７に戻し、ＷＤＭ光の入力の判定を継続する。
【００８１】
一方、ＳＯＡ制御部１１２は、ＷＤＭ光の入力があると判定した場合（ステップＳ３０７；Ｙｅｓ）、ＳＯＡ１０２に印加される電圧を逆極性のバイアス電圧から順極性のバイアス電圧に切り替えることによって、ＳＯＡ１０２を増幅モードで動作させ（ステップＳ３０８）、ＳＯＡ１０２に対する駆動電流の供給を再開する（ステップＳ３０９）。そして、ＳＯＡ制御部１１２は、処理をステップＳ３０１に戻し、再びＷＤＭ光の入力断の検出を開始する。
【００８２】
上述したように、実施例２に係る光受信器２００は、ＷＤＭ光の入力断が検出された場合に、ＶＯＡ２０１の可変減衰量を最大減衰量まで一時的に増大させることによって、ＶＯＡ２０１の後段側への出力を遮断する。その結果、ＶＯＡ２０１の後段側に配置される部品がサージ光の突入によって破損する事態が回避される。
【実施例３】
【００８３】
図１３は、実施例３に係る光受信器の構成例を示す図である。実施例３に係る光受信器３００は、第２ＰＤ部がＡＰＤ（Avalanche PhotoDiode）である点、及びＡＰＤの制御手法が実施例１と異なる。そこで、以下の説明では、第２ＰＤ部がＡＰＤ（Avalanche PhotoDiode）である点、及びＡＰＤの制御手法について主に説明する。ここで、図１３において、図２と同じ符号を有する各部は、特に説明の無い限り同じ機能を有するものとする。
【００８４】
図１３に示すように、実施例３に係る光受信器３００は、図２に示した第２ＰＤ１０７に代えて、第２ＰＤ３０７を有する。また、光受信器３００は、図２に示した入力断検出部１１０に代えて、入力断検出部３１０を有する。また、光受信器３００は、図２に示した各部に加えて、ＡＰＤ制御部３１３を新規に有する。
【００８５】
第２ＰＤ３０７は、フィルタ１０６から入力される各信号光の光パワーを測定する。具体的には、第２ＰＤ３０７は、各信号光を電気信号に変換し、供給される電圧に応じた増幅率で電気信号を増幅し、増幅された電気信号の強度を示す値を各信号光の光パワーとして測定する受光素子である。このような受光素子は、ＡＰＤと呼ばれる。第２ＰＤ３０７は、測定された各信号光の光パワーをＡＳＥ抽出部１０９へ出力する。第２ＰＤ３０７は、第２の測定部の一例である。
【００８６】
入力断検出部３１０は、ＡＳＥ抽出部１０９から入力されるＡＳＥ光の光パワーに基づいて、ＷＤＭ光の入力断を検出する。入力断検出部３１０は、ＷＤＭ光の入力断の検出結果をＳＯＡ制御部１１２及びＡＰＤ制御部３１３へ通知する。入力断検出部３１０は、検出部の一例である。
【００８７】
ＡＰＤ制御部３１３は、入力断検出部３１０によってＷＤＭ光の入力断が検出された場合に、第２ＰＤ３０７に供給される電圧を減少させることによって、第２ＰＤ３０７における電気信号の増幅に用いられる増幅率を抑制する。ＡＰＤ制御部３１３は、受光素子制御部の一例である。
【００８８】
次に、図１４を用いて、実施例３に係る出力遮断処理の流れの一例を説明する。図１４は、実施例３に係る出力遮断処理の流れの一例を示すフローチャートである。
【００８９】
図１４に示すように、ＳＯＡ制御部１１２は、入力断検出部３１０によりＷＤＭ光の入力断が検出されていない場合（ステップＳ４０１；Ｎｏ）、ＳＯＡ１０２に対して駆動電流を供給することによって、ＳＯＡ１０２を増幅モードで動作させる（ステップＳ４０２）。
【００９０】
ＡＰＤ制御部３１３は、入力断検出部３１０によりＷＤＭ光の入力断が検出された場合（ステップＳ４０１；Ｙｅｓ）、以下の処理を行う。すなわち、ＡＰＤ制御部３１３は、第２ＰＤ３０７に供給される電圧を減少させることによって、第２ＰＤ３０７における電気信号の増幅に用いられる増幅率を抑制する（ステップＳ４０３）。
【００９１】
ＳＯＡ制御部１１２は、ＳＯＡ１０２に対する駆動電流を停止することによって、ＳＯＡ１０２の後段側への出力を遮断する（ステップＳ４０４）。
【００９２】
続いて、ＳＯＡ制御部１１２は、ＳＯＡ１０２に印加される電圧を順極性のバイアス電圧から逆極性のバイアス電圧に切り替えることによって、ＳＯＡ１０２を測定モードで動作させる（ステップＳ４０５）。
【００９３】
ＡＰＤ制御部３１３は、第２ＰＤ３０７に供給される電圧の減少を解除する（ステップＳ４０６）。
【００９４】
ＳＯＡ制御部１１２は、測定モードで動作するＳＯＡ１０２によって測定されるＷＤＭ光の光パワーに基づいて、ＷＤＭ光の入力を判定する（ステップＳ４０７）。ＳＯＡ制御部１１２は、ＷＤＭ光の入力がないと判定した場合（ステップＳ４０７；Ｎｏ）、処理をステップＳ４０７に戻し、ＷＤＭ光の入力の判定を継続する。
【００９５】
一方、ＳＯＡ制御部１１２は、ＷＤＭ光の入力があると判定した場合（ステップＳ４０７；Ｙｅｓ）、ＳＯＡ１０２に印加される電圧を逆極性のバイアス電圧から順極性のバイアス電圧に切り替えることによって、ＳＯＡ１０２を増幅モードで動作させ（ステップＳ４０８）、ＳＯＡ１０２に対する駆動電流の供給を再開する（ステップＳ４０９）。そして、ＳＯＡ制御部１１２は、処理をステップＳ４０１に戻し、再びＷＤＭ光の入力断の検出を開始する。
【００９６】
上述したように、実施例３に係る光受信器３００は、ＷＤＭ光の入力断が検出された場合に、ＡＰＤである第２ＰＤ３０７に供給される電圧を減少させることによって、第２ＰＤ３０７における電気信号の増幅に用いられる増幅率を抑制する。その結果、第２ＰＤ３０７が過電流の発生によって破損する事態が回避される。
【実施例４】
【００９７】
図１５は、実施例４に係る光受信器の構成例を示す図である。実施例４に係る光受信器４００は、信号対雑音（ＳＮ：Signal-to-Noise）比を用いてＶＯＡ又はＳＯＡを制御する点が実施例１と異なる。そこで、以下の説明では、ＳＮ比を用いてＶＯＡ又はＳＯＡを制御する点について主に説明する。ここで、図１５において、図２と同じ符号を有する各部は、特に説明の無い限り同じ機能を有するものとする。
【００９８】
図１５に示すように、実施例４に係る光受信器４００は、図２に示したＡＳＥ抽出部１０９に代えて、ＡＳＥ抽出部４０９を有する。また、光受信器４００は、図２に示したＶＯＡ制御部１１１に代えて、ＶＯＡ制御部４１１を有する。また、光受信器４００は、図２に示したＳＯＡ制御部１１２に代えて、ＳＯＡ制御部４１２を有する。また、光受信器４００は、図２に示した各部に加えて、ＳＮ比算出部４１４を新規に有する。
【００９９】
ＡＳＥ抽出部４０９は、増幅ＷＤＭ光の光パワーの入力を第１ＰＤ１０４から受ける。ＡＳＥ抽出部４０９は、各信号光の光パワーの入力を第２ＰＤ１０７から受ける。そして、ＡＳＥ抽出部４０９は、増幅ＷＤＭ光の光パワーと、各信号光の光パワーの総和との差分を算出することによって、ＷＤＭ光に重畳されたＡＳＥ光の光パワーを抽出する。具体的には、ＡＳＥ抽出部４０９は、上記差分を算出することによって、ＳＯＡ１０２によって飽和特性を有する利得で増幅され、かつ、ＷＤＭ光に重畳されたＡＳＥ光の光パワーを抽出する。ＡＳＥ抽出部４０９は、抽出したＡＳＥ光の光パワーを入力断検出部１１０及びＳＮ比算出部４１４へ出力する。また、ＡＳＥ抽出部４０９は、第２ＰＤ１０７から受け付けた各信号光の光パワーをＳＮ比算出部４１４へ出力する。ＡＳＥ抽出部４０９は、抽出部の一例である。
【０１００】
ＳＮ比算出部４１４は、各信号光の光パワー及びＡＳＥ光の光パワーの入力をＡＳＥ抽出部４０９から受ける。ＳＮ比算出部４１４は、各信号光の光パワーの総和と、ＡＳＥ光の光パワーとの比であるＳＮ比を算出する。ＳＮ比算出部４１４は、算出したＳＮ比をＶＯＡ制御部４１１及びＳＯＡ制御部４１２へ出力する。
【０１０１】
ＶＯＡ制御部４１１は、基本的には、図２に示したＶＯＡ制御部１１１と同じ機能を有する。さらに、ＶＯＡ制御部４１１は、ＳＮ比の入力をＳＮ比算出部４１４から受ける。ＶＯＡ制御部４１１は、ＳＮ比が増大するように、ＶＯＡ１０１の可変減衰量を調整する。
【０１０２】
ＳＯＡ制御部４１２は、基本的には、図２に示したＳＯＡ制御部１１２と同じ機能を有する。さらに、ＳＯＡ制御部４１２は、ＳＮ比の入力をＳＮ比算出部４１４から受ける。ＳＯＡ制御部４１２は、ＳＮ比が増大するように、ＳＯＡ１０２に対して供給される駆動電流を調整する。
【０１０３】
上述したように、実施例４に係る光受信器４００は、ＳＮ比を用いてＶＯＡ１０１又はＳＯＡ１０２を制御する。その結果、ＷＤＭ光の通信品質を維持することが可能となる。
【実施例５】
【０１０４】
図１６は、実施例５に係る光受信器の構成例を示す図である。実施例５に係る光受信器５００は、ＳＮ比を外部装置に通知する点が実施例４と異なる。そこで、以下の説明では、ＳＮ比を外部装置に通知する点について主に説明する。ここで、図１６において、図１５と同じ符号を有する各部は、特に説明の無い限り同じ機能を有するものとする。
【０１０５】
図１６に示すように、実施例５に係る光受信器５００は、図１５に示したＳＮ比算出部４１４に代えて、ＳＮ比算出部５１４を有する。また、光受信器５００は、図１５に示した各部に加えて、ＳＮ比通知部５１５を新規に有する。
【０１０６】
ＳＮ比算出部５１４は、基本的には、図１５に示したＳＮ比算出部４１４と同じ機能を有する。さらに、ＳＮ比算出部５１４は、算出したＳＮ比をＶＯＡ制御部４１１、ＳＯＡ制御部４１２及びＳＮ比通知部５１５へ出力する。
【０１０７】
ＳＮ比通知部５１５は、ＳＮ比の入力をＳＮ比算出部５１４から受ける。ＳＮ比通知部５１５は、ＳＮ比を出力ポートｐｏｒｔ２に接続された外部装置に通知する。
【０１０８】
上述したように、実施例５に係る光受信器５００は、ＳＮ比を外部装置に通知する。その結果、外部装置を用いて光受信器５００の通信状態を管理することができる。
【符号の説明】
【０１０９】
１００、２００、３００、４００、５００  光受信器
１０１、２０１  ＶＯＡ
１０２  ＳＯＡ
１０４  第１ＰＤ
１０７、３０７  第２ＰＤ
１０９、４０９  ＡＳＥ抽出部
１１０、２１０、３１０  入力断検出部
１１１、２１１、４１１  ＶＯＡ制御部
１１２、４１２  ＳＯＡ制御部
３１３  ＡＰＤ制御部
４１４、５１４  ＳＮ比算出部
５１５  ＳＮ比通知部
【図１】
0006578726.tif 000002
【図２】
0006578726.tif 000003
【図３Ａ】
0006578726.tif 000004
【図３Ｂ】
0006578726.tif 000005
【図４】
0006578726.tif 000006
【図５】
0006578726.tif 000007
【図６】
0006578726.tif 000008
【図７】
0006578726.tif 000009
【図８】
0006578726.tif 000010
【図９】
0006578726.tif 000011
【図１０】
0006578726.tif 000012
【図１１】
0006578726.tif 000013
【図１２Ａ】
0006578726.tif 000014
【図１２Ｂ】
0006578726.tif 000015
【図１３】
0006578726.tif 000016
【図１４】
0006578726.tif 000017
【図１５】
0006578726.tif 000018
【図１６】
0006578726.tif 000019